(57)【要約】【課題】  簡易な装置でありながら、泥水等の被処理水から、手間を掛けることなく容易に、沈澱物（スラッジ）を除去することができ、しかも、沈澱物の細かさに関係なく、沈澱物を確実に除去できる沈澱濾過装置を提供することを目的とする。【解決手段】  上下に複数段状に積み上げられる上方開口状の容器体２を、備える。容器体２の底壁部22に、区画板体10が立設され、容器体２の内部20に、沈澱物含有被処理液Ｗ0 を蛇行状に流す流路７が形成される。区画板体10は、相互に平行状として配設されると共に一端部４ａが容器体２の対向する一対の側壁部21，21に交互に当接する複数枚の主板体４と、主板体４の複数箇所から枝分かれするように延設された複数枚の副板体５と、を有する。また、底壁部22は、流路７の端部７ａの位置に、排水口３を有する。【選択図】  図２
2005342677.tif 000002
【特許請求の範囲】
【請求項１】
上下に複数段状に積み上げられる上方開口状の容器体（２）を、備え、
該容器体（２）の底壁部（22）に、区画板体（10）が立設され、該容器体（２）の内部（20）に、沈澱物含有被処理液（Ｗ0 ）を蛇行状に流す流路（７）が形成されて、
上記底壁部（22）は、該流路（７）の端部（７ａ）の位置に、排水口（３）を有することを特徴とする沈澱濾過装置。
【請求項２】
上記区画板体（10）は、相互に平行状として配設されると共に一端部（４ａ）が上記容器体（２）の対向する一対の側壁部 (21)(21) に交互に当接する複数枚の主板体（４）を、有する請求項１記載の沈澱濾過装置。
【請求項３】
上記区画板体（10）は、上記主板体（４）の複数箇所から枝分かれするように延設された複数枚の副板体（５）を、有し、上記流路（７）が、該副板体（５）と上記主板体（４）とにより、複合した蛇行状に形成されている請求項２記載の沈澱濾過装置。
【請求項４】
上記容器体（２）の側壁部（21）の高さ寸法をＨ21とし、上記主板体（４）の高さ寸法をＨ4 とし、上記副板体（５）の高さ寸法をＨ5 としたときに、Ｈ21＞Ｈ4 ＞Ｈ5 の関係である請求項３記載の沈澱濾過装置。
【請求項５】
上記副板体（５）が、上記主板体（４）に対して直交し、かつ、該副板体（５）の他端（５ａ）が、流路（７）の上流側に折り曲げられてポケット部（12）が形成された請求項３又は４記載の沈澱濾過装置。
【請求項６】
上記主板体（４）及び上記副板体（５）の形状に切り抜かれたスリット（８）を有し嵌込取出自在として上記容器体（２）の底壁部（22）上に載置される沈澱物取出用中敷板（９）を、備えた請求項３，４又は５記載の沈澱濾過装置。
【請求項７】
上記中敷板（９）に、該中敷板（９）のスリット（８）のうち上記主板体（４）に対応するスリット（８Ａ）をまたぐようにして、縦長状スリット（14ａ）を有する門型補強取手片（14）が、立設された請求項６記載の沈澱濾過装置。
【請求項８】
上記容器体（２）と、上記主板体（４）と、上記副板体（５）とが、プラスチックにて一体射出成型された請求項３，４，５，６又は７記載の沈澱濾過装置。
【発明の詳細な説明】
【技術分野】
【０００１】
本発明は、沈澱物を含有する液体を濾過する装置に関するものである。
【背景技術】
【０００２】
従来の沈澱濾過装置は、上方開口ボックス型の沈澱槽内に、ハンガーに吊り下げたフィルター袋を上下に取出挿入自在にセットするものが知られており（例えば、特許文献１参照）、上方から泥水等を注入して、時間を置いた後、フィルター袋を取り出してフィルター袋に溜まった泥等の沈澱物を除去する。
【特許文献１】特開平８−２１５６８７号公報
【発明の開示】
【発明が解決しようとする課題】
【０００３】
この従来の沈澱濾過装置は、沈澱物がフィルター袋に目詰まりし易く、ふるい目が塞がってくると、泥水等を沈澱槽内に注入する際の濾過の効率が非常に悪くなります。しかも、フィルター袋は、消耗品であり、繰り返し使用されるうちに、劣化し易く、頻繁に交換しなければならず、コストが大きくなります。さらに、沈澱物の細かさによっては、フィルター袋を通過して沈澱槽の底に溜まるので、フィルター袋を取り出して沈澱槽内の上澄み水を排水した後で、その沈澱物を沈澱槽内から取り出さなければならず、手間が掛かってしまいます。
【０００４】
そこで、本発明は、簡易な装置でありながら、泥水等の被処理水から、手間を掛けることなく容易に、沈澱物（スラッジ）を除去することができ、しかも、沈澱物の細かさに関係なく、沈澱物を確実に除去できる沈澱濾過装置を提供することを目的とする。
【課題を解決するための手段】
【０００５】
上記の目的を達成するために、本発明に係る沈澱濾過装置は、上下に複数段状に積み上げられる上方開口状の容器体を、備え、該容器体の底壁部に、区画板体が立設され、該容器体の内部に、沈澱物含有被処理液を蛇行状に流す流路が形成されて、上記底壁部は、該流路の端部の位置に、排水口を有する。
【０００６】
また、上記区画板体は、相互に平行状として配設されると共に一端部が上記容器体の対向する一対の側壁部に交互に当接する複数枚の主板体を、有する。
また、上記区画板体は、上記主板体の複数箇所から枝分かれするように延設された複数枚の副板体を、有し、上記流路が、該副板体と上記主板体とにより、複合した蛇行状に形成されている。
【０００７】
また、上記容器体の側壁部の高さ寸法をＨ21とし、上記主板体の高さ寸法をＨ4 とし、上記副板体の高さ寸法をＨ5 としたときに、Ｈ21＞Ｈ4 ＞Ｈ5 の関係である。
あるいは、上記副板体が、上記主板体に対して直交し、かつ、該副板体の他端が、流路の上流側に折り曲げられてポケット部が形成されている。
【０００８】
また、上記主板体及び上記副板体の形状に切り抜かれたスリットを有し嵌込取出自在として上記容器体の底壁部上に載置される沈澱物取出用中敷板を、備えている。
また、上記中敷板に、該中敷板のスリットのうち上記主板体に対応するスリットをまたぐようにして、縦長状スリットを有する門型補強取手片が、立設されている。
さらに、上記容器体と、上記主板体と、上記副板体とが、プラスチックにて一体射出成型されるのも良い。
【発明の効果】
【０００９】
本発明は、次のような著大な効果を奏する。
容器体内に主板体が設けられることで、容器体内に於て、沈澱物含有被処理液が流れる流路の距離が長くなるので、被処理液が流路を流れるあいだに、沈澱物（スラッジ）が、底壁部の上に堆積し易くなる。しかも、容器体は、複数段状に重ねられるので、非常に長い流路を流れることになり、大量の沈澱物が容器内に堆積し、充分な濾過が行われる。
また、被処理液の流れが、側壁部と主板体の当接箇所の近傍や、ポケット部や、副板体の下流側近傍等に沈澱箇所が形成されて、その沈澱箇所では流れが緩やかとなるので、沈澱物は、その比重で沈み、堆積し易い。このように、容器体内に、長い流路が形成され、複数の沈澱箇所等が設けられるので、沈澱物が容器内に堆積し易く、効率よく濾過が行われる。
【発明を実施するための最良の形態】
【００１０】
以下、実施の形態を示す図面に基づき、本発明を詳説する。
図１，図２，図３，図４に示すように、本発明に係る沈澱濾過装置は、上方開口状の容器体２…を有する濾過ユニット体１…が、上下に複数段状に積み上げられて成る。
容器体２は、平面視矩形状であり、側壁部21は、その上端縁に、水平状の第１外鍔部31を有すると共に、その上下中間位置に、水平状の第２外鍔部32を有する。
さらに、容器体２の側壁部21は、第１外鍔部31と第２外鍔部32の中間位置において、周状段付部25が、形成され、側壁部21の上部の開口部が拡がって形成されて、側壁部21の内面21ａは、上部に、上方から別の容器体２の下部に嵌入される周状嵌込部23を、有する。  容器体２に別の容器体２を積み上げると、上側の容器体２の底壁部22の下面22ａが、下側の容器体２の嵌込部23に嵌入され段付部25に支持されると共に、上側の容器体２の第２外鍔部32が、下側の容器体２の第１外鍔部31上に係止する。これにより、上側の容器体２は、下側の容器体２に対し、横方向へ不意にずれて外れることなく、安定して、積み上がった状態に保たれる。
【００１１】
さらに、濾過ユニット体１は、容器体２の底壁部22に立設され容器体２の内部20を仕切る区画板体10を、有し、容器体２の内部20は、区画板体10によって、沈澱物含有被処理液Ｗ0 を蛇行状に流す流路７が、形成される。
具体的には、区画板体10は、相互に平行状として配設される複数枚（図例では４枚）の横長矩形状の主板体４…を、有する。
主板体４…の一端部４ａ…は、容器体２の対向する一対の側壁部21，21と、交互に当接し、一方、その他端部４ｂ…は、容器体２の対向する一対の側壁部21，21と、交互に空隙を有する。
【００１２】
さらに、区画板体10は、主板体４の複数箇所から枝分かれするように延設された短矩形状の副板体５…を、有し、この副板体５と、主板体４とから、ポケット部12が形成される。
具体的には、各副板体５は、ポケット部12が流路７の上流側に開口状となるように、主板体４に対して40°以上90°以下の角度θをもって傾斜するように、配設される。40°未満であると、ポケット部12が狭く、被処理液Ｗ0 の流れの障害となる（邪魔する）効果が小さく、沈澱物Ｄが溜まりにくい。また、90°を越すと、沈澱が少なくなる。
なお、図示省略したが、θを90°として、副板体５を主板体４から直交状に連結した場合も、多くの沈澱箇所が形成されるので、実用上有効であることが確認できた。
隣り合う主板体４，４の向かい合う面から延設された副板体５…は、相互に重なり合う（当接する）ことのないように、（互い違いに）千鳥状に配置されるのが好ましい。
【００１３】
さらに、並列する主板体４…のうち両端の一対の主板体４，４と夫々対向する一対の側壁部21，21の複数箇所から、主板体４に付設されたものと同様の構成の副板体５が、延設される。このとき、側壁部21から延設された副板体５…と、この側壁部21に対向する主板体４から延設された副板体５…は、相互に重なり合う（当接する）ことのないように、（互い違いに）千鳥状に配置される。
以上のように、流路７は、（主蛇行と副蛇行の）複合した蛇行状に、複雑に形成される。
ここで、容器体２の側壁部21（底壁部22の上面から第１外鍔部31の上部まで）の高さ寸法をＨ21とし、主板体４の高さ寸法をＨ4 とし、副板体５の高さ寸法をＨ5 としたときに、Ｈ21＞Ｈ4 ＞Ｈ5 の関係である。
さらに具体的には、底壁部22の上面から段付部25までの高さ寸法をＨ25としたときに、Ｈ25＞Ｈ4 ＞Ｈ5 の関係であるのが好ましく、容器体２，２を積み上げる際に、主板体４の上端が、上段の容器体２の底壁部22の下面22ａに、接触しない。
【００１４】
そして、容器体２の底壁部22は、流路７の端部７ａの位置に、排水口３を有し、かつ、排水口３と逆の端部の位置に、注液部13を有する。排水口３に流れた処理液は、底壁部22の下面22ａに突設された排水パイプ30により、下方へ排出される。
【００１５】
次に、図５，図６，図７に於て、９は、嵌込取出自在として容器体２の底壁部22上に載置（セット）される沈澱物取出用中敷板を示す。
この中敷板９は、容器体２の底壁部22の上面と同形状を有する板体から、主板体４及び副板体５の平面視同一形状のスリット８が切り抜かれると共に、排水口３に対応する位置に、切欠部17が切り欠かれたものである。中敷板９の縁端辺は、スリット８のうち４枚の主板体４…に対応する４列のスリット８Ａ…の一端側により、割かれている。
この中敷板９は、このスリット８Ａ…の一端側近傍をまたぐようにして、縦長状スリット14ａを有する縦長門型の補強取手片14…が、立設される。この補強取手片14により、スリット８Ａにより割かれた部分が連結されて、中敷板９の縁端辺は補強され、中敷板９は、歪むことなく、平坦面状に保たれる。補強取手片14の縦長状スリット14ａには、主板体４を、差込可能であり、中敷板９を、容器体２の底壁部22上に確実に載置できる。
中敷板９の材質は、ステンレススチール，樹脂等の、繰り返し使用できるものが望ましい。
また、中敷板９を紙製として、堆積した沈澱物Ｄ…とともに、使い捨てとしてもよく、さらに、フィルター材質の紙として、中敷板９自体に濾過能力を備えさせるのもよい。  
【００１６】
図８は他の実施の形態を示し、図１〜図３，図６，図７の沈澱濾過装置とは、副板体５の形状が異なる点で、相違する。
具体的には、副板体５は、主板体４に対して直交して延設される。かつ、副板体５の（主板体４と当接する側と反対側の）他端５ａが、流路７の上流側に折り曲げられており（平面視がＬ字状に形成され）、この副板体５と、主板体４とから、上流側に、平面視浅い皿状のポケット部12が形成される。
なお、図示省略するが、中敷板９（図５〜図７参照）は、スリット８のうち副板体５に対応するスリット８は、図８に示す副板体５の形状に対応して切り欠かれる。
なお、図８に於て、他端５ａの小折曲部を省略しても、良い。そのときも、沈澱箇所が、副板体５の下流面側の一部、及び、主板体４への連絡隅部に、形成できる。
【００１７】
濾過ユニット体１の材質として、容器体２，主板体４，副板体５は、ポリプロピレンやポリエチレン等の樹脂や、ステンレス等から成るのが、好ましい。
あるいは、容器体２と、主板体４と、副板体５を、プラスチックにて一体射出成型して、濾過ユニット体１を成型してもよい。一体射出成型により、濾過ユニット体１を、大量生産することができ、しかも、繰り返し使用しても、破損しにくい強固な構造となる。
【００１８】
次に、沈澱濾過装置の使用方法及び濾過される手順（作用）について説明する。
先ず、図５，図６に於て、各濾過ユニット体１の容器体２の内部20に、中敷板９を嵌入し、底壁部22上に、中敷板９を載置してセットする。
そして、濾過ユニット体１…を、上下に複数段状に積み上げる（図１，図４参照）。このとき、各濾過ユニット体１の排水パイプ30が、その下段に重なった濾過ユニット体１の注液部13の上方に対応するように、配置する。
【００１９】
そして、図１，図２，図３，図４及び図７に於て、最上段の濾過ユニット体１Ａの容器体２の注液部13に、ホース18から、泥水等の沈澱物含有被処理液Ｗ0 を注ぐ。
すると、被処理液Ｗ0 は、各副板体５…のポケット部12に邪魔されながら、流路７を流れ（図２参照）、流れが、ポケット部12や、副板体５の下流側近傍に於て、緩やかになるので、沈澱物Ｄ…は、その比重で沈み、中敷板９との摩擦により、中敷板９上に堆積する。また、側壁部21と主板体４の当接箇所近傍においても、流れが蛇行状になり緩やかになるので、沈澱物Ｄ…が堆積し易い。このように、多数の沈澱箇所が形成される点が本発明の特色であり、被処理液Ｗ0 が排水口３まで到達するまでに、大量の沈澱物Ｄ…が、区画板体10によって、中敷板９上に堆積する。
なお、図７は、最上段の濾過ユニット体１Ａにおける濾過処理後の状態を示しており、未処理の（大量の沈澱物Ｄを含有する）被処理液Ｗ0 が注がれるので、特に注液部13近傍に、多くの沈澱物Ｄが堆積している。
また、図８に示す濾過ユニット体１に於ても、副板体５の裏面やポケット部12等の沈澱箇所にて、被処理液Ｗ0 の流れが緩やかになるので、大量の沈澱物Ｄ…が堆積する。
【００２０】
ここで、容器体２の側壁部21の高さ寸法Ｈ21，主板体４の高さ寸法Ｈ4 ，副板体５の高さ寸法Ｈ5 が、Ｈ21＞Ｈ4 ＞Ｈ5 の関係であるので（図３にて既述）、被処理液Ｗ0 は、主板体４を乗り越えて短絡して流れることがなく、さらに、側壁部21を乗り越えて容器体２の外部へ流出することもなく、確実に、流路７内を流れ、排水口３に到達する。そして、排水パイプ30を介して、下段の濾過ユニット体１の注液部13に、注がれる。
同様に、全ての濾過ユニット体１…に於て、沈澱物Ｄ…が堆積して、最下段の濾過ユニット体１の排水パイプ30から、沈澱物Ｄ…が除去された処理済液Ｗ1 が流れ出る。
このように、複数段状の濾過ユニット体１…によって濾過されるので、沈澱物Ｄ…は、確実に除去される。
この処理済液Ｗ1 は、別の装置によってさらに浄化されたり、あるいは、そのまま下水に排水される。
【００２１】
そして、濾過ユニット体１…から全ての処理済液Ｗ1 が流出し終わり、濾過作業が終了したら、積み上げられた濾過ユニット体１を分離させる。
そして、中敷板９上の沈澱物Ｄを乾燥させた後で、図６に示すように、補強取手片14…を把持して、中敷板９を濾過ユニット体１から取り出し、沈澱物Ｄを取り除く。
清掃した中敷板９を、濾過ユニット体１の容器体２内にセットすることで、繰り返し、被処理液Ｗ0 の濾過処理を行うことができる。
なお、中敷板９を紙製とする場合は、容器体２を逆さまにして、沈澱物Ｄ…と共に中敷板９を取り出し、そのまま、廃棄する。
また、被処理液Ｗ0 内のスラッジの付着力が小さい場合には、中敷板９を、濾過ユニット体１にセットせずに、濾過作業を行ってもよい。
【００２２】
以上のように、本発明に係る沈澱濾過装置は、上下に複数段状に積み上げられる上方開口状の容器体２を、備え、容器体２の底壁部22に、区画板体10が立設され、容器体２の内部20に、沈澱物含有被処理液Ｗ0 を蛇行状に流す流路７が形成されて、底壁部22は、流路７の端部７ａの位置に、排水口３を有するので、容器体２内に於て、沈澱物含有被処理液Ｗ0 が流れる流路７の距離を長くすることができ、被処理液Ｗ0 が流路７を流れるあいだに、沈澱物が、底壁部22の上に堆積し易くなる。しかも、容器体２…は、複数段状に重ねられるので、非常に長い流路７を流れることになり、大量の沈澱物が容器内に堆積し、充分に濾過することができる。しかも、設置面積が小さくて済む。
【００２３】
そして、区画板体10は、相互に平行状として配設されると共に一端部４ａが容器体２の対向する一対の側壁部21，21に交互に当接する複数枚の主板体４を、有するので、主板体４により、容器体２の内部には、効率よく、長い流路７が形成され、容器体２の内部に於て、被処理液Ｗ0 が流れる距離が長くなり、沈澱物が底壁部22に堆積し易い。さらに、側壁部21と主板体４の当接箇所の近傍において、流れが、方向転換して緩やかになるので、沈澱物Ｄ…が堆積し易い。
よって、被処理液Ｗ0 の濾過が充分に行われる。
【００２４】
また、区画板体10は、主板体４の複数箇所から枝分かれするように延設された複数枚の副板体５を、有し、流路７が、副板体５と主板体４とにより、複合した蛇行状に形成されているので、被処理液Ｗ0 の流れは、副板体５に邪魔されて、副板体５の下流側近傍等に於て、緩やかとなるので、沈澱物は、その比重で沈み、堆積し易い。
さらに、副板体５…は複数箇所に設けられているので、被処理液Ｗ0 が流れる流路７が長ければ長いほど、沈澱物が効果的に取り除かれ、濾過が一層効率よく行われる。
【００２５】
また、容器体２の側壁部21の高さ寸法をＨ21とし、主板体４の高さ寸法をＨ4 とし、副板体５の高さ寸法をＨ5 としたときに、Ｈ21＞Ｈ4 ＞Ｈ5 の関係であるので、被処理液Ｗ0 は、主板体４を乗り越えて（短絡して）流れることがなく、さらに、側壁部21を乗り越えて容器体２の外部へ流出することもない。よって、被処理液Ｗ0 は、確実に、流路７内を、排水口３まで流れるので、沈澱物は、充分に除去される。
【００２６】
あるいは、副板体５が、主板体４に対して直交し、かつ、副板体５の他端５ａが、流路７の上流側に折り曲げられてポケット部12が形成されるので、被処理液Ｗ0 の流れに対する障害となる（邪魔する）効果が大きく、沈澱物が、ポケット部12に堆積し易く、濾過が効率よく行われる。
【００２７】
また、主板体４及び副板体５の形状に切り抜かれたスリット８を有し嵌込取出自在として容器体２の底壁部22上に載置される沈澱物取出用中敷板９を、備えるので、付着力の大きな沈澱物（スラッジ）を含有する被処理液Ｗ0 を容器体２内に流す場合であっても、沈澱物が中敷板９の上に堆積するので、中敷板９を取り出すことにより、容易に、容器体２から沈澱物を取り出すことができる。
また、この中敷板９を紙製とすれば、沈澱物が堆積した中敷板９を、そのまま廃棄することができ、作業が楽になり、作業の時間も短縮できる。
【００２８】
また、中敷板９に、中敷板９のスリット８のうち主板体４に対応するスリット８Ａをまたぐようにして、縦長状スリット14ａを有する門型補強取手片14が、立設されているので、中敷板９の縁端辺のうちスリット８Ａにより割かれた部分が、連結されて、中敷板９は、歪むことなく、平坦面状に保たれる。しかも、把持することにより、中敷板９を容器体２内にセットしたり、取り出し易い。
【００２９】
さらに、容器体２と、主板体４と、副板体５とが、プラスチックにて一体射出成型されるので、製造が容易であり、大量生産が可能となると共に、破損しにくい強固な構造となる。
【図面の簡単な説明】
【００３０】
【図１】本発明に係る沈澱濾過装置の実施の一形態を示す斜視図である。
【図２】平面図である。
【図３】図３のＡ−Ａ拡大断面図である。
【図４】説明用一部断面正面図である。
【図５】中敷板を示す平面図である。
【図６】中敷板と濾過ユニット体を示す説明用要部斜視図である。
【図７】平面図である。
【図８】本発明に係る沈澱濾過装置の他の実施の形態を示す要部拡大平面図である。
【符号の説明】
【００３１】
２  容器体
３  排水口
４  主板体
４ａ  一端部
５  副板体
５ａ  他端
７  流路
７ａ  端部
８，８Ａ  スリット
９  中敷板
10  区画板体
14  補強把持片
14ａ  スリット
20  内部
21  側壁部
22  底壁部
Ｈ21，Ｈ4 ，Ｈ5   高さ寸法
Ｗ0   被処理液
θ  角度
【図１】
2005342677.tif 000003
【図２】
2005342677.tif 000004
【図３】
2005342677.tif 000005
【図４】
2005342677.tif 000006
【図５】
2005342677.tif 000007
【図６】
2005342677.tif 000008
【図７】
2005342677.tif 000009
【図８】
2005342677.tif 000010